(57)【特許請求の範囲】
【請求項１】
複数の通気口が設けられた流動床と、古砂の投入管および再生砂の送出管が設けられた側壁とを有した撹拌槽と、
前記撹拌槽の上方部分と連絡し排気口が設けられた分級槽と、
前記撹拌槽内に投入された古砂を流動化させるとともに、前記古砂から分離された付着物を前記分級槽に送るための圧力空気を前記通気口に供給する空気圧源と、
前記撹拌槽内に配置され駆動源によって回転される水平方向に配置された駆動軸と、
前記駆動軸の回転に連動して回転する回転ドラムとを備え、
前記回転ドラムは、前記駆動軸に同軸上に固定された円板部と、前記円板部の円周に内周面が連結されてなる円筒部とを有し、かつ該ドラムの中央部断面がほぼエ字形に形成されており、
前記通気口から供給される圧力空気の作用と、前記回転ドラムの回転とにより、前記撹拌槽内の古砂から、該古砂に付着している付着物が剥離されることを特徴とする鋳物砂再生装置。
【請求項２】
複数の放射孔が前記円筒部に形成されており、前記ドラムが回転されるとき、前記放射孔を通して古砂が前記ドラムの内側から外側へ放射される、請求項１記載の鋳物砂再生装置。
【請求項３】
前記撹拌槽において、前記投入管が前記送出管より高く位置されている、請求項１または２に記載の鋳物砂再生装置。
【請求項４】
前記投入管および前記送出管が、前記撹拌槽の垂直軸に対して傾斜されている、請求項１から３のいずれかに記載の鋳物砂再生装置。
【発明の詳細な説明】
【０００１】
【発明の属する技術分野】
本発明は鋳造用の鋳型に用いられた鋳物砂を再生するための鋳物砂再生用のドラム及び鋳物砂再生装置に係り、さらに詳しくは遠心力により回転ドラムの内周面に形成される古砂の固定層と投入された古砂との相互的な摩擦接触により古砂に付着した付着物を剥離して再生砂に再生する鋳物砂再生用のドラム及び鋳物砂再生装置に関するものである。
【０００２】
【従来の技術】
図１０は従来装置で、特許第２５２１７６５号公報記載の装置である。図１０（ａ）は全体説明図、図１０（ｂ）は仕切り板の拡大図である。
図１０（ａ）において、１０１は鋳物砂投入用ホッパー、１０２は押出部材、１０３は回転砥石体、１０４は開口部、１０５はリサイクル用鋳物砂タンク、１０６は鋳物砂押出用通路、１０７は駆動モーター、１０８は不純物廃棄用収納部、１０９は集塵機移送管、１１０は減加圧搬送管、１１１は吹き上げ用ファン、１１２は移送通路、１１３は篩い網部材、１１６は横動シリンダーである。図１０（ｂ）の１１４は仕切り板、１１５は穴である。Ａは鋳物砂、ａとｂはリサイクル用鋳物砂タンク１０５の上部と下部の空間部である。
【０００３】
図１０に示された鋳物砂再生装置は、投入用ホッパー１０１内に投入される大塊状の鋳物砂Ａは押出用通路１０６内より押出部材１０２によって押し出されて回転砥石体１０３に研磨される。大塊状の鋳物砂Ａに混じった鉄片及び芯金は廃棄用収納部１０８に自動的に収納され、粒状となった鋳物砂だけが移送通路１０２の篩い網部材１１３で篩い分けられ減加圧搬送管１１０の基部に移送される。ここに移送された鋳物砂は吹き上げファン１１１と集塵機の気流に押し上げられて、リサイクル用鋳物砂タンク１０５内の上部空間部ａの仕切り板１１４上に積重される。
【０００４】
仕切り板１１４上の積重量が所定量になると、押出部材１０２の押し出しを停止してから２つの仕切り板１１４を横動する。横動で仕切り板１１４が穴合わせされて、鋳物砂Ａが下部空間部ｂより開口部１０４を通って回転砥石体１０３上に落下される。そして、再び鋳物砂Ａの研磨を行って鋳物砂タンク１０５内へ収納して、所定の研磨度になるまで同じ動作が繰り返される。最後の鋳物砂Ａを鋳物砂タンク１０５内から搬送管１１９で取り出して、再生砂貯蔵タンク１１８から再生された鋳物砂Ａが取り出されることになる。この他、浮遊流動した鋳砂中に複数の回転する研削砥石を設けた装置として、特開昭６２−２４０１３５号公報記載の「鋳砂再生装置」も周知である。
【０００５】
【発明が解決しようとする課題】
図１０に示された従来の鋳物砂再生装置は上述のように、大塊状の鋳物砂Ａから再生砂を再生するまでの一連の工程を連続的に実施できる特長がある。しかしながら、押出用通路１０６内から押し出された鋳物砂Ａを、回転砥石体１０３で研磨するような構成が採用されている。このため、回転しながら鋳物砂に接触して研磨する回転砥石体１０３が、著しく摩耗するという致命的な欠点がある。特に、この従来装置では大塊状の鋳物砂Ａをシリンダ機構等の押出部材１０２によって押出用通路１０６内から押し出して強制的に回転砥石体１０３に押し付けるので、砥石の外径が極端に摩耗することになる。
【０００６】
回転砥石体１０３の外径が摩耗すると、摩耗の進行に連れて研磨用の回転砥石体１０３の回転半径が減少して周速が遅くなる。したがって、鋳物砂を再生するための研磨能率も低下するので、回転砥石体１０３の交換の必要性が派生することになる。そこで、回転砥石体１０３を交換するためには鋳物砂再生装置の運転を一旦停止し、その後分解して駆動軸と共に回転砥石体１０３を取り出さなければならない。この結果、回転砥石体１０３の面倒な交換作業と運転の中断に基づく再生能率の低下、或いは摩耗度に応じた多数の交換用の回転砥石体１０３を常備することがが必要になる等の問題点があった。この点は、上記の特開昭６２−２４０１３５号公報記載の「鋳砂再生装置」も全く同様である。
【０００７】
本発明は上記のような両従来装置の問題点を解消するために為されたもので、上述の回転砥石体１０３のような消耗品を不必要とし、高い再生性能を備えて再生砂の回収率を高く維持し、しかも装置の運転用の消費電力を低く押さえて余分な設備費等を抑制した鋳物砂再生用の回転ドラム及び鋳物砂再生装置を実現することを目的にしたものである。
【０００８】
【課題を解決するため手段】
本発明の鋳物砂再生装置は、複数の通気口が設けられた流動床と、古砂の投入管および再生砂の送出管が設けられた側壁とを有した撹拌槽と、前記撹拌槽の上方部分と連絡し排気口が設けられた分級槽と、前記撹拌槽内に投入された古砂を流動化させるとともに、前記古砂から分離された付着物を前記分級槽に送るための圧力空気を前記通気口に供給する空気圧源と、前記撹拌槽内に配置され駆動源によって回転される水平方向に配置された駆動軸と、前記駆動軸の回転に連動して回転する回転ドラムとを備え、前記回転ドラムは、前記駆動軸に同軸上に固定された円板部と、前記円板部の円周に内周面が連結されてなる円筒部とを有し、かつ該ドラムの中央部断面がほぼエ字形に形成されており、前記通気口から供給される圧力空気の作用と、前記回転ドラムの回転とにより、前記撹拌槽内の古砂から、該古砂に付着している付着物が剥離されることを特徴とする。
また、複数の放射孔が前記円筒部に形成されており、前記ドラムが回転されるとき、前記放射孔を通して古砂が前記ドラムの内側から外側へ放射されることを特徴とする。
また、前記撹拌槽において、前記投入管が前記送出管より高く位置されていることを特徴とする。
さらに、前記投入管および前記送出管が、前記撹拌槽の垂直軸に対して傾斜されていることを特徴とする。
【００１１】
【発明の実施の形態】
以下、本発明の実施の形態を、図面を用いて説明する。
実施の形態１．
図１は本発明の実施の形態１の構成説明図、図２は図１の側断面図、図３は図１のＸーＸ断面図、図４は回転ドラムの断面図である。
図１乃至図３において、１は筐体の本体である。本体１は角型で上下の２段構造に作られ、下部の攪拌槽２と上部の分級槽３の２部分で構成されている。４は攪拌槽２の底部に形成された送風室、５は送風口、６は流動床である。流動床６には図２に示されているように、側面に複数の通気口６ａを形成した多数の凸形突起６ｂが設けられている。
【００１２】
７と８は攪拌槽２の対向した側壁に設けられた投入管と送出管、９は透視窓である。投入管７と送出管８は共に攪拌槽２の側壁に斜めに取付けられ、詳しくは示されていないが手動操作により側壁と同一面に設けられた投入口と排出口の開度と高さが調節可能になっている。１０は駆動軸、１１は左右の軸受けである。軸受け１１は攪拌槽２の両側壁に取付けられて、駆動軸１０を途中の高さで水平方向に保持する。
【００１３】
１２は回転ドラムである。回転ドラム１２には例えば鋼材を溶接して作られ、円板部１２ｐと円筒部１２ｓとから構成されている。円板部１２ｐは回転中心に駆動軸１０を固定し、この円板部１２ｐの円周に円筒部１２ｓの内周面の途中を連結して断面がほぼ“エ字形”のドラム１２ｄに形成されている。特に、本発明では円筒部１２ｓに、半径方向に貫通する複数個の放射孔１２ｈが設けられている。実施の形態１では３００ｍｍφの円筒部１２ｓに円板部１２ｐを挟んだ両側に、孔径が１０ｍｍφで各１列１６個の放射孔１２ｈが等角間隔に円周上に穿設されている（図４）。
【００１４】
１３は電動機、１４は取付台、１５は継ぎ手である。電動機１３は取付台１４上に固定され、出力軸が継ぎ手１５により駆動軸１０に連結されている。１６は規制板、１７は排気口である。規制板１６は攪拌槽２と分級槽３の間に設けられて、分級槽３を攪拌槽２に連通している。また、図示されていないが、排気口１７は外部に設けられた集塵機に接続されている。２０は古砂、２１は前述のような付着物、２２は古砂２０から付着物２１を取除いた再生砂である。図１のＢはブロアである。規制板１６は回転ドラム１２より飛散する古砂２０が、直接排気口１７に飛び込むのを変向して防ぐものである。
【００１５】
このような構成の本発明の実施の形態１の動作を、次に説明する。
予め、鋳型が破砕機で破砕されて、ベルトコンベアによってホッパ内に蓄積された古砂２０の投入管７へ通じる供給路が形成される。また、図１に示されたブロアＢの出力管路が、送風室４の送風口５に連結されている。さらに、ホッパ内の古砂２０の破砕状態や材質等に基づいて、ブロアＢから送風室４に供給する送風量や動作時間が付着物２１の剥離に適した値に設定される。
【００１６】
攪拌槽２の側壁に設けられた投入管７が開放されて、所定量の古砂２０が攪拌槽２内に投入される。古砂２０の投入で、駆動軸１０に固定された回転ドラム１２の下方の周辺部が古砂２０に埋められる。ここで、電源スイッチが入れられて電動機１３が通電すると、継ぎ手１５を介して駆動軸１０が駆動される。駆動軸１０の駆動で一部を古砂２０に埋没させた回転ドラム１２が、例えば１５００〜３０００ｒｐｍの回転数で回転を開始する。
【００１７】
一方、ブロアＢからの送風が送風口５を通して送風室４に供給されて、強い空気圧の気流が流動床６の多数の凸形突起６ｂの通気口６ａから攪拌槽２内に噴出される。通気口６ａから噴き出した圧力空気は、攪拌槽２内に投入されて流動床６上に堆積した古砂２０を多次元方向に押し上げて流動させる。回転ドラム１２の付近で無方向性に流動する古砂２０は、高速回転している回転ドラム１２の内部空間に進入する。回転ドラム１２の内部に進入した古砂２０には、回転する回転ドラム１２の遠心力が加えられることになる。
【００１８】
遠心力を受けた古砂２０の大部分は、攪拌槽２内で回転ドラム１２の開口部から外周に放射されてから流動床６上に落下して再び流動する。また、回転ドラム１２に先行して進入した古砂２０の一部は、遠心力により円筒部１２ｓと円板部１２ｐの接する隅部に堆積して砂粒の固定層を形成する。この場合、円筒部１２ｓには半径方向の放射孔１２ｈが設けられているので、隅部に滞留した古砂２０が放射孔１２ｈから抜けて円周方向に放射される。この結果、回転ドラム１２の隅部に沿って、放射孔１２ｈを中心にした“蟻地獄”状の多数の凹欠部ｓを有する円環状の固定層Ｓが形成される（黒塗り潰し部分）。
【００１９】
砂粒の固定層Ｓ内の凹欠部ｓの付近の軸と直角方向の拡大断面図が、図５に示されている。図示のように、凹欠部ｓの断面形状は、放射孔１２ｈにおける接線ｔとなす角θ（接触角と呼ぶ）の傾斜面が両側に形成される。そして、攪拌槽２内の流動床６で無方向性に流動しながら高速回転する回転ドラム１２内に進入した古砂２０（拡大表示してある）は、この固定層Ｓ内に多数形成された凹欠部ｓの接触角θの傾斜面に次々に衝突しながら摩擦接触することになる。この結果、古砂２０の外面に付着している付着物２１が、凹欠部ｓの角θの傾斜面によって効果的に剥離される。なお、図５の２点鎖線は放射孔１２ｈを設けないドラムのない固定層の表層面を示し、接触角θ＝０になる。
【００２０】
その後、上述した高速回転する回転ドラム１２の固定層Ｓと流動する古砂２０との協働的な動作に基づいて、攪拌槽２内で付着物２１の剥離動作が連続的に進行する。剥離動作の進行に連れて攪拌槽２内で流動する古砂２０の間を通過する噴出空気流で、古砂２０と分離した付着物２１が規制板１６を通過して分級槽３内に押し上げられる。噴気流で押し上げられた古砂２０の中で粗い粒子は自重により反転落下して、再び規制板１６を介して攪拌槽２に戻される。一方、分級槽３内に送られた軽い付着物２１は、順次排気口を通して図示されていない集塵機に捕集される。
【００２１】
通常の再生処理は、連続動作で行われる。処理砂の品質は、滞留時間Ｔで決められる。流動層の滞留量をＷ（kg）、投入量をＶ（kg／ｈ）とすると、次式から滞留時間Ｔが求められる。
Ｔ＝（Ｗ／Ｖ）×６０（ｍｉｎ）
必要な滞留時間Ｔより逆算して求めた古砂２０の投入量Ｖを投入口より連続して投入する。滞留量Ｗは、排出口の高さで自動的に決まるため投入量Ｖに見合った分が自動的に排出される。
また、バッチ処理の場合は、排出口を開閉自在とし一定量の投入の後一定時間処理したら、排出口を開として全量を排出する。排出を速やかに行うため排出口の位置は低くする。この間、送風用のブロワＢおよび回転ドラム１２の回転用の電動機１３は回し続けておく。
【００２２】
図６は本発明の実施の形態１の応用例の説明図である。
この応用例では筐体の本体１の横幅をやや拡げて、定格の大きい電動機１３を用いて駆動軸１０に２個の回転ドラム１２が並べて固定されている。そして、攪拌槽２と分級槽３等の内容積を増して滞留量を増やし古砂２０の処理量を増加することで再生能率を向上するように構成されている。詳しくは示されていないが、図６の応用例に用いられる回転ドラム１２についても、円筒部１２ｓの半径方向には複数の放射孔１２ｈが形成されている。２個の回転ドラム１２に同一のものが示されているが、ドラム１２ｄの外径や幅或いは材質や放射孔１２ｈの孔径等を選択的に構成することもある。断面図等の図示と説明は省略してあるが、ここでも前述の図１〜５と同様の古砂２０の再生動作が効果的に実施される。
【００２３】
実施の形態２．
図７は、本発明の実施の形態２の構成説明図である。
実施の形態２を示す図７において、３０は円筒体からなる筐体の本体、３１は本体３０の上面で漏斗状に形成されたホッパ、３２は粉塵吸引口、３３はデイストリビュータである。デイストリビュータ３３は円板状に形成されて、ホッパ３１の下方に取り付けられている。１２は既に実施の形態１で説明したものと同様の回転ドラムである。
【００２４】
回転ドラム１２はこの実施の形態２では円板部１２ｐが円筒部１２ｓの一端に連結されて、断面がコ字形のドラム１２ｄが形成されて開口部を上にして配置されている。そして、ここでも円筒部１２ｓには、軸心に直角方向の円周上に等間隔の複数の放射孔１２ｈが設けられている。３４はＬ字形の棚を２段重ねた環状棚で、回転ドラム１２の外側に隙間を空けて周りを囲んで本体３０に固定されている。この環状棚３４の上段と下段の棚は、それぞれ回転ドラム１２の円筒部１２ｓの周壁の先端と放射孔１２ｈに対向して配置されている。
【００２５】
３５は垂直方向に配置されて回転ドラム１２を固定した駆動軸、３６はその軸受けである。また、３７は２つのプーリ、３８はプーリ３７の外周に懸張されたベルト、３９は電動機、４１は送風管、４２は排出口である。送風管４１はブロアに接続され、送給された圧力空気が矢印方向に送られて回転ドラム１２の下方から上方に向かう空気流が形成される。筐体の本体３０はホッパ３１から再生砂２２の排出口４２までが１単位のユニットＵになっていて、必要により数段積み重ねて多段のユニットｎＵが構成されるようになっている。
【００２６】
図７に示した実施の形態２の動作を、次に説明する。
ホッパ３１からデイストリビユータ３３上に供給された古砂２０が円周方向に均一に分散されて、同軸的に配置された回転ドラム１２上に円筒形を画きながら連続的に落下する。一方、電動機３９が駆動されると、プーリ３７に懸けられたベルト３８と駆動軸３５を介して回転ドラム１２が高速回転を開始する。そして、デイストリビユータ３３から円形を画いて落下した古砂２０は、前述と同様に回転ドラム１２と一体に高速回転する固定層Ｓ内に形成された多数の凹欠部ｓの接触角θの傾斜面に次々に衝突する。
【００２７】
衝突した古砂２０は摩擦接触して効果的に付着物２１が剥離され、剥離後の古砂２０の一部は放射孔１２ｈを通過し残余の古砂２０は回転ドラム１２の周壁を越えて、共に円周方向に放出される。これら放射孔１２ｈと周壁に分割されて放出された古砂２０は、それぞれ環状棚３４の下段と上段の棚の隅部において既に先行して堆積された古砂２０の別々の固定層Ｓ１，Ｓ２に分けられて再び衝突することになる。
【００２８】
環状棚３４上に堆積した砂層に衝突した古砂２０により、再び付着物が剥離されながら次々に環状棚３４から溢れ落ちる。環状棚３４から溢れ落ちた古砂２０は、送風管４１から送給される噴気流によって半径方向に吹き飛ばされる。この結果、噴気流によって再生砂２２が微粉から分離されて、本体３０の内部の中段部を経て排出口４２から排出される。分離した微粉は噴気流に乗って上方に舞い上げられて、粉塵吸引口３から吸引されて排出される。
【００２９】
このように、実施の形態２の再生装置によれば、古砂２０の付着物の除去動作が回転ドラム１２上と環状棚３４上との２段階で行われる。特に、回転ドラム１２の固定層Ｓには接触角θの傾斜面が形成されているので、衝突した古砂２０と固定層Ｓとの間に強力な研磨作用が働く。しかも、この研磨作用を受けた古砂２０は環状棚３４の上段と下段の２方向に分流されて、２つの固定層Ｓ１と固定層Ｓ２に衝突するようになっている。この結果、古砂２０の再生の処理時間を、著しく短縮することができる。また、砂粒の相互間や砂粒と砂層間の接触や衝突等を利用するので、前述の従来装置で用いられていた砥石等のような消耗品が不必要で設備費を著しく安価に保持できる。
【００３０】
次に、本発明の実施例による実験結果を図８と図９で説明する。
図８は本発明装置と参照装置の付着物２１の除去率と回収率の特性を示す図面で、縦軸は除去率と回収率（共に％）で横軸は処理時間（分）である。Ｃ１とＣ２は本発明装置と参照装置の処理時間に対する変化曲線を示す。例えば、処理時間３分において、本発明装置では除去率６０％であるのに対して参照装置は約５０％になっている。また、このときの回収率はそれぞれほぼ８３％と７６％であり、本発明の鋳物砂の再生動作の優れた性能が示されている。なお、本発明装置の比較対称とした参照装置は、図７で示された垂直型回転ドラムにおける放射孔１２ｈのない回転ドラムを用いた再生装置である。
【００３１】
また、図９にはアルカリフェノール砂を用いたときの、砂粒の粒度分布図が示されている。鎖線のＣ０は古砂２０の粒度分布を示し、実線Ｃ１とＣ２は本発明装置と上記の参照装置の粒度分布を示す折線である。従来装置の再生砂２２の特性を示す実線のＣ２は、付着物の剥離に伴って粒度分布のピーク点がメッシュｈが増加して細かくなる方向にシフトしている。これに対し、本発明による再生砂の粒度特性を示す実線Ｃ１は付着物の剥離による破壊が殆ど発生せず、古砂２０の特性を示す破線Ｃ０と同じ粒度に保持されている。
【００３２】
上記図９における本発明の実験条件を示せば、以下の通りである。
鋳物砂        アルカリフェノール
回転数        ２４００ｒｐｍ
ドラム径      ３００ｍｍ
ドラム幅      １００ｍｍ
ドラム数      １個
放射孔数      ３２個
処理量        ３５ｋｇ（１／バッチ）
【００３３】
この他、発明者による実験・研究結果によれば、図３のように構成した本発明装置で古砂２０を３分間の処理時間で処理したときの再生砂２２の品質が上述の参照装置を３個のユニット３Ｕで構成したときの再生砂２２の品質に相当することが確認された。この場合の両装置の構成を示せば、表１に示す通りである。参照装置における“段”は、図７のユニットＵを多段構成にした段数ｎである。また、“分級”とは、付設された空気集塵装置である。表１によれば参照装置は本発明装置と能力差があるが、換算により第２欄の動力を比較すると、本発明は参照装置のほぼ７７％で済み消費電力が少なく極めて経済的で維持費を低く保持ができる利点がある。
【００３４】
【表１】
0003991179.tif 000002
【００３５】
なお、上述の本発明の実施の形態１では円筒部が３００ｍｍφで左右両側に、孔径が１０ｍｍφで各１列１６個の放射孔１２ｈを設けた場合で説明したが、列数や列内の個数或いは孔径についてもこの実施の形態に限るものではない。また、実施の形態では回転ドラムに鋼材を用いた場合で説明したが、摩耗率の低いセラミックを利用することもできる。さらに、放射孔１２ｈの孔径については具体的な数値で表せば５〜１５ｍｍで、一般的には再生対象の鋳物砂の粒径に応じて適宜選定することができる。
【００３６】
【発明の効果】
本発明は、軸心を回転軸とする円板部と、円板部の円周に内周面が連結された円筒部とよりなるドラムを備え、回転軸の回転に伴って鋳物砂が円筒内から円筒外に放射される複数の放射孔を円筒部に設けた鋳物砂再生用のドラムを構成した。
また、円板部の円周を円筒部の端部に連結して断面がほぼコ字形のドラムを形成した鋳物砂再生用の回転ドラムを構成した。
また、円板部の円周を円筒部の途中に連結して断面がほぼエ字形のドラムを形成した鋳物砂再生用の回転ドラムを構成した。
【００３７】
また、本発明は、内底部に流動床を備え側壁に古砂の投入口及び再生砂の排出口が設けられた攪拌槽と、攪拌槽内に配置され駆動源によって駆動される回転軸と、回転軸に駆動されて攪拌槽内に投入された古砂の付着物を攪拌して剥離する回転ドラムと、攪拌槽の上部に連通し集塵口を設けた分級槽と、攪拌槽における流動床上に投入された古砂を流動させて回転ドラムにより剥離された付着物と再生砂とを分級槽内で分級する空気圧源とを備えた鋳物砂再生装置において、回転ドラムの円筒部に古砂が放射される放射孔を設けた鋳物砂再生装置を構成した。
【００３８】
さらに、本発明は、上部と下部に粉塵の吸引口と再生砂の排出口を設けた縦形円筒状の筐体の本体と、本体の上端部に同軸的に設けられ古砂が供給される漏斗状のホッパと、ホッパの下方で供給されたに古砂を受けて円周方向に分散して落下させるディストリビュータと、ディストリビュータの下方で同軸的に配置されて分散して落下された古砂を円筒部内に受ける断面コ字形の回転ドラムと、回転ドラムを固定した回転軸を回転する回転駆動源と、回転ドラムを隙間を空けて囲繞して回転ドラムの回転に伴って円筒部内に受けて飛散した古砂を受ける環状棚と、回転ドラムの下方から気流を送って本体内を上昇させる気流源とを備えた鋳物砂再生装置において、回転ドラムの円筒部に古砂が放射される放射孔を設けると共に、回転ドラムの放射孔と周壁から放出された古砂とを受ける下段棚と上段棚を環状棚に形成した鋳物砂再生装置を構成した。
【００３９】
この結果、本発明によれば、回転ドラムの回転に伴って固定層を形成した古砂と回転ドラム内に流入した流動砂との直接的な研磨作用及び回転ドラムの遠心力で飛散した古砂と流動砂との衝突摩擦、さらに流動層内で流動する古砂の相互間の摩擦接触によって、古砂の付着物を除去して再生砂が再生される。したがって、必ずしも回転軸の回転数を上昇させて摩擦力を高める必要がないので、古砂の破砕が少なくなるばかりか、定格の小さい電動機を用いることも可能になる。この結果、設備費や消費電力に比較して再生砂の回収量が多くなって、歩留まりが良く再生効率を向上することができる。
【００４０】
よって、本発明によれば、砥石のような消耗品を不必要とし、高い再生性能を備えて再生砂の回収率を高く維持し、しかも装置の運転用の消費電力を低く押さえて余分な設備費等を抑制した鋳物砂再生用の回転ドラム及び鋳物砂再生装置を提供することができる。
【図面の簡単な説明】
【図１】本発明の実施の形態１の構成説明図である。
【図２】図１の側断面図である。
【図３】図１のＸーＸ断面図である。
【図４】回転ドラムの断面図である。
【図５】実施の形態１の動作を示す説明図である。
【図６】実施の形態１の応用例の説明図である。
【図７】本発明の実施の形態２の構成説明図である。
【図８】回収率と除去率のの特性図である。
【図９】古砂と再生砂の粒度の分布図である。
【図１０】従来の鋳物砂再生装置の構成説明図である。
【符号の説明】
１  本体
２  攪拌槽
３  分級槽
４  送風室
５  送風口
６  流動床
６ａ  通気口
７  投入管
８  送出管
１０  駆動軸（回転軸）
１２  回転ドラム
１２ｐ  円板部
１２ｓ  円筒部
１２ｄ  ドラム
１２ｈ  放射孔
１３  電動機
１６  規制板
１７  排気口
２０  古砂
２１  付着物
２２  再生砂
３０  本体
３１  ホッパ
３２  粉塵吸引口
３３  デイストリビュータ
３４  環状棚
３５  駆動軸（回転軸）
３９  電動機
４１  送風管
４２  排出口
Ｂ  ブロア
ｓ  凹欠部
Ｓ  固定層
Ｕ  ユニット
θ  接触角
【図１】
0003991179.tif 000003
【図２】
0003991179.tif 000004
【図３】
0003991179.tif 000005
【図４】
0003991179.tif 000006
【図５】
0003991179.tif 000007
【図６】
0003991179.tif 000008
【図７】
0003991179.tif 000009
【図８】
0003991179.tif 000010
【図９】
0003991179.tif 000011
【図１０】
0003991179.tif 000012